(57)【要約】【課題】パチンコ遊技機において、上皿に貯留されている遊技球が満杯ではない場合に、遊技球が予期しない挙動をとって第２の球通路に導かれることを防止する。【解決手段】遊技球が貯留されるとともに貯留された遊技球を発射位置に案内する上皿４ａと、上皿４ａの下方に設けられ、遊技球を貯留する下皿５ａと、上流側が上方に開口して形成され、遊技球を１列に整列して上皿４ａに誘導する第１の球通路４０ａと、第１の球通路４０ａと区画壁４１で区画され、区画壁４１の上端部で連通するとともに第１の球通路４０ａと並ぶように配置され、遊技球を１列に整列して下皿５ａに誘導する第２の球通路４０ｂと、第１の球通路４０ａに向けて遊技球を落下させて遊技球の払い出しを行う払出装置２０とを有する構成とする。【選択図】        図１１
2006230923.tif 000002
【特許請求の範囲】
【請求項１】
遊技球が貯留されるとともに貯留された遊技球を発射位置に案内する上皿と、
前記上皿の下方に設けられ、遊技球を貯留する下皿と、
上流側が上方に開口して形成され、遊技球を１列に整列して前記上皿に誘導する第１の球通路と、
前記第１の球通路と区画壁で区画され、前記区画壁の上端部で連通するとともに前記第１の球通路と並ぶように配置され、遊技球を１列に整列して前記下皿に誘導する第２の球通路と、
前記第１の球通路に向けて遊技球を落下させて遊技球の払い出しを行う払出装置と、
を有することを特徴とする遊技機。
【請求項２】
所定の部品が取り付けられるベースドアを有し、
前記第１の球通路および前記第２の球通路の少なくとも一部は前記ベースドアと一体成形されていることを特徴とする請求項１記載の遊技機。
【請求項３】
前記上皿と前記第１の球通路とを連通して形成され、前記第１の球通路に導かれた遊技球を前記上皿に払い出す第１の払出口と、
前記下皿と前記第２の球通路とを連通して形成されるとともに前記第１の払出口の下方に並ぶように配置され、前記第２の球通路に導かれた遊技球を前記下皿に払い出す第２の払出口と、
を有することを特徴とする請求項１または２記載の遊技機。
【請求項４】
遊技球を前記遊技機の外部に誘導する球抜き通路と、
前記払出装置の下方に配置され、前記遊技球の払出方向を前記第１の球通路側と前記球抜き通路側とに切り替える切替装置と、
を有することを特徴とする請求項１〜３の何れか一項に記載の遊技機。
【発明の詳細な説明】
【技術分野】
【０００１】
本発明は遊技機に関し、特に遊技媒体として用いられる遊技球の払い出しに適用して有効な技術である。
【背景技術】
【０００２】
パチンコ遊技機（遊技機）では、遊技者のハンドル操作によって遊技盤の遊技領域に送り込まれた遊技球は、障害釘に弾かれながら盤面を流下する。そして、盤面を流下する最中に入賞口に入賞すると、各入賞口の種類に応じて設定された個数の遊技球が払出口から貯留皿へ払い出される。また、最終的に何れの入賞口にも入賞しなかった遊技球は、アウト口から回収される。
【０００３】
ここで、一般に、貯留皿は上下２カ所に設けられている。そして、上皿は、遊技球が貯留され、貯留された遊技球を発射位置に案内する。また、下皿は、上皿からあふれ出た遊技球を貯留する。
【０００４】
貯留皿へは払出装置により遊技球の払い出しが行われるが、下皿への払い出しよりも上皿への払い出しが優先して行われるよう、上皿が満杯になった場合に払出装置からの遊技球を下皿に誘導する余剰球通路（第２の球通路）が設けられている。
【０００５】
しかしながら、余剰球通路では、遊技球が不規則な動きをして例えば横方向など予期できない方向に進行する場合があるために、上皿に貯留されている遊技球が満杯ではないにもかかわらず、遊技球が余剰球通路に導かれて下皿に払い出されることがあった。
【０００６】
すると、上皿に貯留されている遊技球が本来より早めに少なくなってしまい、遊技者は、一方の手でハンドルを握って遊技を実行しながら、他方の手で遊技球を下皿から上皿に移動させる作業を頻繁に行わなくてはならなくなる。
【０００７】
これでは、遊技者は遊技球を移動させる作業が煩わしく、遊技に集中することができなくなり、快適な遊技環境が阻害されるという問題がある。
【０００８】
そこで、このような問題点を解決するために、特開平５−５７０５４号公報には、払出装置からの遊技球を上皿に誘導する球通路である景品球排出通路（第１の球通路）から溢れて余剰球通路に導入される余剰球の溢れ口を、景品球排出路と対面する方向に配置する技術が開示されている。
【０００９】
この技術では、景品球排出路は複数列で形成されており、これら複数列の景品球排出路は下方の球通路で合流しており、合流地点に余剰球の溢れ口が開口している。そして、球通路の幅は、遊技球の直径２個分程度で形成されている。
【特許文献１】特開平５−５７０５４号公報
【発明の開示】
【発明が解決しようとする課題】
【００１０】
しかしながら、特許文献１に記載の技術でも、合流地点で遊技球が通路壁面に当たったり球同士がぶつかり合ったりするために、やはり遊技球が予期できない方向に進行して溢れ口から余剰球通路に導かれ、下皿に払い出される場合がある。
【００１１】
したがって、依然として、上皿に貯留されている遊技球が満杯ではないにもかかわらず、遊技球が余剰球通路に導かれて下皿に払い出されるという問題を確実に解消することはできない。
【００１２】
そこで、本発明は、上皿に貯留されている遊技球が満杯ではない場合に、遊技球が予期しない挙動をとって第２の球通路に導かれることのない遊技機を提供することを目的とする。
【課題を解決するための手段】
【００１３】
上記課題を解決するため、請求項１に記載の本発明の遊技機は、遊技球が貯留されるとともに貯留された遊技球を発射位置に案内する上皿と、上皿の下方に設けられ、遊技球を貯留する下皿と、上流側が上方に開口して形成され、遊技球を１列に整列して上皿に誘導する第１の球通路と、第１の球通路と区画壁で区画され、区画壁の上端部で連通するとともに第１の球通路と並ぶように配置され、遊技球を１列に整列して下皿に誘導する第２の球通路と、第１の球通路に向けて遊技球を落下させて遊技球の払い出しを行う払出装置と、を有することを特徴とする。
【００１４】
これにより、第１の球通路が遊技球を１列に整列しているので遊技球が横方向に進行することはなく、上皿が満杯になって遊技球が第１の球通路から溢れたときに初めて区画壁からこぼれ落ちるようにして第２の球通路に誘導され、下皿に払い出されるので、上皿が満杯でないにもかかわらず遊技球が予期しない挙動をとって第２の球通路に導かれ、下皿に払い出されることはない。
【００１５】
請求項２に記載の本発明は、請求項１記載の発明の構成に加えて、所定の部品が取り付けられるベースドアを有し、第１の球通路および第２の球通路の少なくとも一部はベースドアと一体成形されていることを特徴とする。
【００１６】
これにより、部品点数を削減することができる。
【００１７】
請求項３に記載の本発明は、請求項１または２記載の発明の構成に加えて、上皿と第１の球通路とを連通して形成され、第１の球通路に導かれた遊技球を上皿に払い出す第１の払出口と、下皿と第２の球通路とを連通して形成されるとともに第１の払出口の下方に並ぶように配置され、第２の球通路に導かれた遊技球を下皿に払い出す第２の払出口と、を有することを特徴とする。
【００１８】
これにより、上皿の背面に第２の球通路を設ける必要がないので、ベースドア背面の省スペース化を図ることが可能になる。
【００１９】
請求項４に記載の本発明は、請求項１〜３の何れか一項に記載の発明の構成に加えて、遊技球を遊技機の外部に誘導する球抜き通路と、払出装置の下方に配置され、遊技球の払出方向を第１の球通路側と球抜き通路側とに切り替える切替装置と、を有することを特徴とする。
【００２０】
これにより、切替装置を切り替えるだけで容易に球抜きができ、抜いた遊技球を遊技機の外部に誘導することができる。
【発明の効果】
【００２１】
本発明によれば以下の効果を奏することができる。
【００２２】
すなわち、本発明によれば、払出装置から払い出された遊技球は優先的に第１の球通路から上皿へ払い出される。そして、第１の球通路が遊技球を１列に整列しているので遊技球が横方向に進行することはなく、上皿が満杯になって第１の球通路から溢れたときに初めて区画壁からこぼれ落ちるようにして第２の球通路に誘導され、下皿に払い出される。したがって、上皿が満杯でないにもかかわらず遊技球が予期しない挙動をとって第２の球通路に導かれ、下皿に払い出されることはない。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態である遊技機を示す斜視図、図２は図１に示した遊技機の正面図、図３は図１の遊技機におけるベースドアを背面側から示す図、図４は図３のベースドアに払出装置を装着した状態を示す図、図５は図３のベースドアに装着されるカバー部を示す斜視図、図６は図３のベースドアに払出装置およびカバー部を装着した状態を示す図、図７はベースドアに装着される払出装置を示す分解斜視図、図８はベースドアに装着される払出装置および切替装置の内部構造を示す図、図９は払出装置に取り付けられたスプロケットを示す斜視図、図１０は上皿が満杯でない状態における払出装置から払い出される遊技球の流れを示す説明図、図１１は上皿が満杯となった状態における払出装置から払い出される遊技球の流れを示す説明図、図１２は遊技球を遊技機の外部に誘導する場合における遊技球の流れを示す説明図である。
【００２５】
図１および図２に示すように、パチンコ遊技機（遊技機）１は、遊技盤１０が装着される本体部２と、本体部２内で遊技盤１０の背後に設けられる表示装置としての液晶表示装置（ＬＣＤ）（図示せず）と、この本体部２に取り付けられるガラス扉３、上皿部４、下皿部５、カバー６およびハンドル７とを備えている。
【００２６】
ガラス扉３および上皿部４は一体化して形成されており、この一体化された開閉扉（開閉体）は、その一端が本体部２に回動可能に軸支され、他端が本体部２に係合するようになっている。ガラス扉３は、可動可能に設けられた遊技盤１０を視認可能に被うものである。
【００２７】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２８】
上皿部４の下側に位置する下皿部５は、本体部２に固定されており、払い出しにより上皿４ａからオーバーフローした遊技球が貯留される下皿５ａを有している。
【００２９】
下皿部５の右側に設けられたハンドル７は、レール１１を介して遊技盤１０の遊技領域１０ａへ遊技球を打ち込む際に回動操作されるものである。すなわち、ハンドル７を回動することにより発射装置（図示せず）が動作し、これにより上皿４ａから発射装置に送り込まれた遊技球が遊技領域１０ａに向けて弾発的に発射される。発射された遊技球は緩やかに湾曲したレール１１に案内されて弧を描くように打込通路１０ｂを上昇し、遊技領域１０ａに送り込まれる。
【００３０】
なお、発射装置は、払出・発射制御回路の制御により槌を所定速度で揺動させ、発射位置（上皿４ａから発射装置へ通じる球通路の終端）にある遊技球を槌の先端で打って遊技領域１０ａへ打ち出している。ハンドル７の近傍には、遊技球の発射を停止させるストップボタン（図示せず）が設けられている。
【００３１】
ガラス扉３の上側に位置するカバー６は本体部２に固定されており、カバー６の左方部６ａおよび右方部６ｂは、本体部２に設けられる左右のスピーカ（図示せず）にそれぞれ対応しており、スピーカからの音声が聞こえるような構造になっている。
【００３２】
液晶表示装置（ＬＣＤ）は、演出画像（例えば、遊技状態に対応したアニメーションやその他の報知情報など。）等を表示可能な表示領域を備えている。
【００３３】
遊技盤１０は、図２に示すように、レール１１に包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７などの遊技部材が配置されている。なお、一般入賞口１２、始動入賞口１４，１７および大入賞口１５では、遊技球が入賞すると、各入賞口１２，１４，１５，１７の種類に応じて設定された個数の遊技球が払い出される。また、アウト口１６は、遊技領域１０ａの流下して最終的に何れの入賞口１２，１４，１５，１７にも入賞しなかった遊技球が流入し、回収される。
【００３４】
遊技盤１０が透明である本実施の形態では、液晶表示装置の表示領域が遊技盤１０を通して視認可能に配置されている。また、液晶表示装置にかえて、例えばプラズマディスプレイ等の表示手段を用いることもできる。
【００３５】
本体部２は、島設備に固定されるベース枠２ａと、一方端を回動支点として当該ベース枠２ａに開閉自在に支持されるベースドア２ｂ（図３、図４）とからなる。図３に示すように、ベースドア２ｂは、背面側から見ると、向かって右側がベース枠２ａに回動可能に支持される側であり、左側が開閉端側である。なお、遊技機内部が開放される場合は、開閉端側から開放される。
【００３６】
図３および図４において、ベースドア２ｂの背面には、遊技機１の動作を実現するためのさまざまな電子部品や電子部品等を実装した基板等の部品が搭載される。
【００３７】
例えば、背面中央には、主制御基板を保持する主制御基板ケースが、背面中央よりやや上右側には、枠中継基板を搭載する枠中継基板ケースが、背面中央よりやや下左側には、電源基板を保持する電源基板ケース、背面中央よりやや下右側には、払出制御基板を保持する払出基板ケースが、主制御基板ケースの上方には、副制御基板を保持する副制御基板ケースが、それぞれ搭載される。背面上部には、遊技球が貯留される貯留タンクが配置される（何れも図示せず）。
【００３８】
さらに、図４に示すように、ベースドア２ｂの背面右側には、貯留タンクに貯留された遊技球を払い出す払出装置２０が配置され、その下方には切替装置６０が、さらにその下方には切替球通路３０が、順次配置されている。そして、図３および図４において、ベースドア２ｂの背面には、この切替球通路３０の下方に位置するようにして、遊技球を１列に整列して上皿４ａに誘導する第１の球通路４０ａ、同じく遊技球を１列に整列して下皿５ａに誘導する第２の球通路４０ｂ、および遊技球を遊技機の外部（ここでは、遊技機の下方）に誘導する球抜き通路５０が、何れも当該切替球通路３０に連通するとともに、遊技球の流下方向に対して上流側が上方に開口して（つまり、切替球通路３０に開口して）形成されている。
【００３９】
なお、第１の球通路４０ａ、第２の球通路４０ｂおよび球抜き通路５０は、図４に示すベースドア２ｂに立設された部分を図５に示すカバー部４５が覆って各通路４０ａ，４０ｂ，５０から外部への遊技球の離脱を阻止する。図５に示すカバー部４５がベースドア２ｂに装着された状態を図６に示す。
【００４０】
上皿４ａと第１の球通路４０ａとは第１の払出口４０ａ−１を介して連通しており、第１の球通路４０ａに導かれた遊技球は第１の払出口４０ａ−１を通って上皿４ａに払い出される。また、下皿５ａと第２の球通路４０ｂとは第２の払出口４０ｂ−１を介して連通しており、さらには第２の払出口４０ｂ−１と下皿５ａとの間にはファール球通路が形成されている。したがって、第２の球通路４０ｂに導かれた遊技球は第２の払出口４０ｂ−１からファール球通路を通って下皿５ａに払い出される。
【００４１】
図示するように、本実施の形態では、第２の払出口４０ｂ−１は第１の払出口４０ａ−１の下方に並ぶように配置されている。このようにすれば、上皿４ａの背面に第２の球通路４０ｂを設ける必要がなくなるので、ベースドア２ｂの背面の省スペース化が図られる。
【００４２】
図７に示すように、払出装置２０および切替装置６０は相互に一体形成されており、ベース部２１およびこれを覆うカバー部２２を備えている。払出装置２０および切替装置６０は前後方向に遊技球の直径約２個分の幅を有しており、内部が上下に延びる仕切板２３によって前後に仕切られている。
【００４３】
また、払出装置２０および切替装置６０とは別体に形成された切替球通路３０もベース部３１およびこれを覆うカバー部３２を備えており、前後方向に遊技球の直径約２個分の幅を有して内部が前後に仕切られている。そして、切替球通路３０の下部で仕切りが途切れて徐々に遊技球の直径１個分の幅に収束している。なお、切替球通路３０には、後述する切替装置６０による遊技球の２つの払出方向に対応した２つの流路３０ａ，３０ｂが形成されている。
【００４４】
したがって、貯留タンクから払い出された遊技球は、払出装置２０および切替装置６０では前後何れかの流路を通って流下し、切替球通路３０で払出方向に対応した流路３０ａ，３０ｂを通り、前述した第１の球通路４０ａ、第２の球通路４０ｂまたは球抜き通路５０の何れかに誘導される。また、前方の流路を流下した遊技球と後方の流路を流下した遊技球とは、切替球通路３０を通過したところで合流する。
【００４５】
なお、本実施の形態において、第１の球通路４０ａ、第２の球通路４０ｂおよび球抜き通路５０のベースドア２ｂに立設された部分はベースドア２ｂと一体成形されているが、別体に形成されていてもよい。また、当該部分およびこれを覆うカバー部まで含めた全体を一体成形してもよい。なお、このように一部あるいは全体をベースドア２ｂと一体形成すれば、部品点数を削減することができ、望ましい。
【００４６】
また、本実施の形態においては、切替装置と払出装置２０とは一体形成されているが、払出装置２０の下方に切替装置６０が配置されている限り、両者は別体であってもよい。
【００４７】
図８に示すように、払出装置２０は、貯留タンクからの遊技球が流下する流路２４が形成されており、流路２４の途中には、スプロケット２５が上流側に、カウンタ２６が下流側に設けられている。
【００４８】
流路２４は左右にジグザグとなりながら下方に向かう傾斜路２４ａと、これに続いて略上下方向に延びた落下路２４ｂとからなり、前述したスプロケット２５とカウンタ２６は落下路２４ｂに配置されている。なお、このような流路２４は仕切板２３を介して前後２カ所に形成されている。また、図８において流路２４の側壁が表されていない部分は仕切板２３側に形成されている。したがって、ベース部２１と仕切板２３とが合わさって後方の流路２４が形成され、カバー部２２と仕切板２３とが合わさって前方の流路２４が形成される。
【００４９】
スプロケット２５は翼部２５ａが落下路２４ｂ内に臨むようにして回転自在に配置されている。図９に詳しく示すように、翼部２５ａは、前方の流路２４を流下する遊技球を１個ずつ送りながら回転する第１の翼部２５ａ−１と、後方の流路２４を流下する遊技球を１個ずつ送りながら回転する第２の翼部２５ａ−２とからなる。そして、第１の翼部２５ａ−１と第２の翼部２５ａ−２とは等間隔を開けて互い違いに設けられている。
【００５０】
スプロケット２５の近傍には、通常はばね力により翼部２５ａに係止してスプロケット２５の回転を止める金属製のストッパ２７が設けられている。このストッパ２７は、励磁されたソレノイド２８に吸着される構造となっており、ソレノイド２８に吸着されるとばね力に抗してスプロケット２５の回転領域外に変位する。
【００５１】
したがって、ソレノイド２８の通電を停止してストッパ２７を翼部２５ａに係止させれば、スプロケット２５の回転が不能になって流路２４を下方に向かおうとする遊技球の流れが阻害され、遊技球の払い出しが停止される。また、ソレノイド２８に通電してストッパ２７を吸着すれば、ストッパ２７はスプロケット２５の回転領域外に変位することから、スプロケット２５が回転可能になる。これにより、流路２４内の遊技球は翼部２５ａを押し下げるようにしてスプロケット２５を回転させ、第１の翼部２５ａ−１により前方の流路２４に導入された１個の遊技球が、第２の翼部２５ａ−２により後方の流路２４に導入された１個の遊技球が、次の第１の翼部２５ａ−１により前方の流路２４に導入された１個の遊技球が、次の第２の翼部２５ａ−２により後方の流路２４に導入された１個の遊技球が、というように順次流下して払い出される。
【００５２】
カウンタ２６は払い出される遊技球の払出数をカウントするもので、たとえば１５個の遊技球を払い出す場合には、前述のようにして払い出される遊技球の数をカウンタ２６がカウントする。そして、１５個目の遊技球がカウンタ２６を通過したときにこれを認識した制御部（図示せず）がソレノイド２８の通電を解く。これによりストッパ２７が変位して翼部２５ａに係止してスプロケット２５の回転が不能になり、それ以上の払い出しが停止される。
【００５３】
図８において、切替装置６０は、誘導板６１の位置に応じて、遊技球の払出方向を第１の球通路４０ａ側と球抜き通路５０側とに切り替える。また、切替装置６０の下流側に位置する切替球通路３０には、前述のように、切替装置６０によりこれら２つの払出方向に対応した２つの流路（第１の球通路４０ａ側に対応した流路３０ａ、球抜き通路５０側に対応した流路３０ｂ）が形成されている。
【００５４】
したがって、支点６１ａを中心にして上部が左右に揺動可能に設けられた誘導板６１が図示する位置（第１の位置）にあるときには、払出装置２０から流下してきた遊技球は第１の球通路４０ａ側に案内され、流路３０ａを通って第１の球通路４０ａに向けて落下する（図１０、図１１参照）。また、誘導板６１が第１の位置から図面左方向に揺動した位置（第２の位置）に変位したときには、払出装置２０から流下してきた遊技球は球抜き通路５０側に案内され、流路３０ｂを通って球抜き通路５０に向けて落下する（図１２参照）。
【００５５】
このように、本実施の形態では、払出装置２０は、切替装置６０と切替球通路３０とを介して遊技球を第１の球通路４０ａに向けて落下させて払い出しを行っている。なお、切替装置６０と切替球通路３０とが設けられていない場合には、払出装置２０は遊技球を直接第１の球通路４０ａに向けて落下させることになる。また、切替装置６０は設けられているが切替球通路３０が設けられていない場合には、払出装置２０は切替装置６０を介して遊技球を第１の球通路４０ａに向けて落下させることになる。
【００５６】
図３に詳しく示すように、第１の球通路４０ａと第２の球通路４０ｂとは区画壁４１に区画されて相互に並ぶように配置されている。そして、第１の球通路４０ａと第２の球通路４０ｂとは区画壁４１の上端部で連通している。
【００５７】
以上のような構造を有するパチンコ遊技機１における払出装置２０からの遊技球の流れについて説明する。
【００５８】
図１０に示すように、誘導板６１が第１の位置にあるときであって上皿４ａが満杯でないときには、第１の球通路４０ａ内の遊技球は流下可能な状態にあるため、払出装置２０から切替装置６０および切替球通路３０を介して第１の球通路４０ａに向けて落下された遊技球は、そのまま第１の球通路４０ａに流入し、１列に整列されて第１の払出口４０ａ−１を通って上皿４ａに払い出される。
【００５９】
次に、図１１に示すように、誘導板６１が第１の位置にあるときであって上皿４ａが満杯になると、第１の球通路４０ａに向けて落下された遊技球は、上皿４ａに払い出されなくなることから徐々に第１の球通路４０ａに滞留していき、ついには第１の球通路４０ａを埋め尽くして区画壁４１の高さまで到達してしまう。そして、第１の球通路４０ａが区画壁４１まで遊技球で埋め尽くされた後に第１の球通路４０ａに向けて落下された遊技球は、第１の球通路４０ａの上流端に位置する遊技球に弾かれるようにして区画壁４１からこぼれ落ちて第２の球通路４０ｂに流入し、１列に整列されて第２の払出口４０ｂ−１を通り、図示しないファール球通路から下皿５ａに払い出される。
【００６０】
このように、払出装置２０から払い出された遊技球は優先的に第１の球通路４０ａから上皿４ａへ払い出される。そして、第１の球通路４０ａが遊技球を１列に整列しているので遊技球が横方向に進行することはなく、上皿４ａが満杯になって第１の球通路４０ａから溢れたときに初めて区画壁４１からこぼれ落ちるようにして第２の球通路４０ｂに誘導され、下皿５ａに払い出される。したがって、上皿４ａが満杯でないにもかかわらず遊技球が予期しない挙動をとって第２の球通路４０ｂに導かれ、下皿５ａに払い出されることはない。
【００６１】
さて、球抜き通路５０は、例えばパチンコホールがその日の営業を終了した場合などにおいてパチンコ遊技機１内に貯留されている遊技球を回収する場合に使用される。
【００６２】
この場合には、ソレノイド２８を通電してストッパ２７を吸着し、スプロケット２５を回転可能にし、さらに、図１２に示すように、切替装置６０に設けられた誘導板６１を第２の位置にする。これにより、払出装置２０からの遊技球は切替装置６０で払出方向が切り替えられて流路３０ｂ側に案内され、球抜き通路５０に誘導される。
【００６３】
このように、本願のパチンコ遊技機１によれば、切替装置６０を切り替えるだけで容易に球抜きが可能になり、抜いた遊技球を遊技機１の外部に誘導することができる。
【産業上の利用可能性】
【００６４】
以上の説明においては、本発明をパチンコ遊技機を適用した場合が説明されているが、本発明はパチンコ遊技機に限定されるものではなく、たとえばスマートボールや雀球など遊技媒体として遊技球が用いられる様々な遊技機に適用することが可能である。
【図面の簡単な説明】
【００６５】
【図１】本発明の一実施の形態である遊技機を示す斜視図である。
【図２】図１に示した遊技機の正面図である。
【図３】図１の遊技機におけるベースドアを背面側から示す図である。
【図４】図３のベースドアに払出装置を装着した状態を示す図である。
【図５】図３のベースドアに装着されるカバー部を示す斜視図である。
【図６】図３のベースドアに払出装置およびカバー部を装着した状態を示す図である。
【図７】ベースドアに装着される払出装置を示す分解斜視図である。
【図８】ベースドアに装着される払出装置および切替装置の内部構造を示す図である。
【図９】払出装置に取り付けられたスプロケットを示す斜視図である。
【図１０】上皿が満杯でない状態における払出装置から払い出される遊技球の流れを示す説明図である。
【図１１】上皿が満杯となった状態における払出装置から払い出される遊技球の流れを示す説明図である。
【図１２】遊技球を遊技機の外部に誘導する場合における遊技球の流れを示す説明図である。
【符号の説明】
【００６６】
１  パチンコ遊技機（遊技機）
２  本体部
２ａ  ベース枠
２ｂ  ベースドア
３  ガラス扉
４  上皿部
４ａ  上皿
４ａ−１  球通路
５  下皿部
５ａ  下皿
６  カバー
６ａ  左方部
６ｂ  右方部
７  ハンドル
８  シャッタレバー
１０  遊技盤
１０ａ  遊技領域
１０ｂ  打込通路
１１  レール
１２  一般入賞口
１３  通過ゲート
１４  始動入賞口
１５  大入賞口
１６  アウト口
１７  始動入賞口
２０  払出装置
２１  ベース部
２２  カバー部
２３  仕切板
２４  流路
２４ａ  傾斜路
２４ｂ  落下路
２５  スプロケット
２５ａ  翼部
２５ａ−１  第１の翼部
２５ａ−２  第２の翼部
２６  カウンタ
２７  ストッパ
２８  ソレノイド
３０  切替球通路
３０ａ，３０ｂ  流路
３１  ベース部
３２  カバー部
４０ａ  第１の球通路
４０ａ−１  第１の払出口
４０ｂ  第２の球通路
４０ｂ−１  第２の払出口
４１  区画壁
４２  壁面
４５  カバー部
５０  球抜き通路
６０  切替装置
６１  誘導板
６１ａ  支点
【図１】
2006230923.tif 000003
【図２】
2006230923.tif 000004
【図３】
2006230923.tif 000005
【図４】
2006230923.tif 000006
【図５】
2006230923.tif 000007
【図６】
2006230923.tif 000008
【図７】
2006230923.tif 000009
【図８】
2006230923.tif 000010
【図９】
2006230923.tif 000011
【図１０】
2006230923.tif 000012
【図１１】
2006230923.tif 000013
【図１２】
2006230923.tif 000014